(57)【要約】      （修正有）【課題】簡単な構造で縦横に正確に整列させることができるコンクリート壁用型枠モジュールを提供する。【解決手段】左右一対の側壁パネル２、３が、直方体のハーフＰＣ板コンクリートからなっており、一対の側壁パネル２、３の間に所定の長さの空間を設定するために両端にストッパとなる鍔５を備えた長ナット４を水平に配置しており、一対の側壁パネル２、３には鍔５より小径で長ナット４のネジ孔と整合する貫通孔６、７を穿設してあり、一対の側壁パネル２、３のそれぞれの貫通孔６、７の外側から、座金を介して長ボルト８、９を貫通孔６、７に挿通し長ナット４に両側から螺合して一対の側壁パネル２、３を所定間隔で固定してなり、一対の側壁パネル２、３の下部は外側から拘束部材により拘束されている。【選択図】図１
2019132110.tif 000002
【特許請求の範囲】
【請求項１】
左右一対の側壁パネルが、直方体のハーフＰＣ板コンクリートからなっており、
前記一対の側壁パネルの間に所定の長さの空間を設定するために両端にストッパとなる鍔を備えた長ナットを水平に配置しており、
前記一対の側壁パネルには前記鍔より小径で長ナットのネジ孔と整合する貫通孔を穿設してあり、
前記一対の側壁パネルのそれぞれの貫通孔の外側から、座金を介して長ボルトを貫通孔に挿通し前記長ナットに両側から螺合して一対の側壁パネルを所定間隔で固定してなり、
前記一対の側壁パネルの下部は外側から拘束部材により拘束されてなることを特徴とするコンクリート壁用型枠モジュール。
【請求項２】
型枠の設置個所の下に鉄板を敷設し、
前記一対の側壁パネルの外側には、拘束部材として、僅かな寸法誤差吸収スペースを介して先端が鋭角となる一対の鉄製キャンバーを鉄板に設けて、一対の側壁パネルの下端の位置決めを行っていることを特徴とする請求項１に記載のコンクリート壁用型枠モジュール。
【請求項３】
コンクリート床上で、拘束部材として、一対の側壁パネルの外面に沿ってそれぞれ三角ブレース金物の垂直面が接しており、
該三角ブレース金物に側壁パネルの貫通孔と整合する孔が穿設されており、長ボルトが座金を介して三角ブレース金物の孔から側壁パネルの貫通孔に挿通して長ナットに螺着されてなることを特徴とする請求項１に記載のコンクリート壁用型枠モジュール。
【発明の詳細な説明】
【技術分野】
【０００１】
本発明は、コンクリート打ちが終わると一対の側板からなる型枠をそのまま一体化して枠外しの手間を省いたコンクリート壁用型枠モジュールの改良に関する。
【背景技術】
【０００２】
従来、例えば実開昭５９−１７６５０２号のコンクリート製型枠においては、内側枠板と外側枠板のそれぞれの内面に引掛用管部を対向して適当数設けて支承杆を嵌合してなる構造が知られている。
上記構成では、型枠の内側で一対の引掛用管部を固定し、該引掛用管部間に支承管を掛け止める構造で内側枠板と外側枠板の位置決めを行い、コンクリートの充填で固化させるが、充填前に、内側枠板と外側枠板とを正確に対峙する位置に固定するには十分な強度が無く左右にずれてしまうおそれがある。
また、特表２００８−５３０３９６号のコンクリート壁用型枠モジュールでは、第１のグリッド、及び該第１のグリッドに取り付けられている第１のパネルを含んでいる第１の側壁パネル構造体と、第２のグリッド、及び該第２のグリッドに取り付けられている第２のパネルを含んでいる第２の側壁パネル構造体と、略同一の長さを有しており、前記第１の側壁パネル構造体及び第２の側壁パネル構造体を回転可能に相互接続することによって、平行に折り畳まれた状態から平行に所定間隔離間された状態に前記第１の側壁パネル構造体及び第２の側壁パネル構造体を移動させることができる少なくとも２本の接続ロッドと、を備えている構成が開示されている。
しかし、上記構成では、各パネルにワイヤメッシュを埋設しており、ワイヤメッシュが接続ロッドに接続されており、構造が複雑となるという不具合がある。
【先行技術文献】
【特許文献】
【０００３】
【特許文献１】実開昭５９−１７６５０２号公報
【特許文献２】特表２００８−５３０３９６号公報
【発明の概要】
【発明が解決しようとする課題】
【０００４】
この発明が解決しようとする問題点は、簡単な構造で縦横に正確に整列させることができるコンクリート壁用型枠モジュールを提供することにある。
【課題を解決するための手段】
【０００５】
本発明は、上記課題を達成するために、請求項１の発明では、
左右一対の側壁パネルが、直方体のハーフＰＣ板コンクリートからなっており、
前記一対の側壁パネルの間に所定の長さの空間を設定するために両端にストッパとなる鍔を備えた長ナットを水平に配置しており、
前記一対の側壁パネルには前記鍔より小径で長ナットのネジ孔と整合する貫通孔を穿設してあり、
前記一対の側壁パネルのそれぞれの貫通孔の外側から、座金を介して長ボルトを貫通孔に挿通し前記長ナットに両側から螺合して一対の側壁パネルを所定間隔で固定しており、
前記一対の側壁パネルの下部は外側から拘束部材により拘束されてなることを特徴とする。
請求項２の発明では、
型枠の設置個所の下に鉄板を敷設し、
前記一対の側壁パネルの外側には、拘束部材として、僅かな寸法誤差吸収スペースを介して先端が鋭角となる一対の鉄製キャンバーを鉄板に設けて、一対の側壁パネルの下端の位置決めを行っていることを特徴とする。
請求項３の発明では、
コンクリート床上で、拘束部材として一対の側壁パネルの外面に沿ってそれぞれ三角ブレース金物の垂直面が接しており、
該三角ブレース金物に側壁パネルの貫通孔と整合する孔が穿設されており、長ボルトが座金を介して三角ブレース金物の孔から側壁パネルの貫通孔に挿通して長ナットに螺着されてなることを特徴とする。
【発明の効果】
【０００６】
本発明のコンクリート壁用型枠モジュールは、一対の側壁を長ナットとその両端から螺着する長ボルトにより位置決めを行うと共に、その下端は鉄製キャンバーにより一対の側壁が変形しないように固定することができる。
また、鉄製キャンバーに変えて三角ブレース金物を用いることによって一層強固に側壁の変形を阻止することができる。
【図面の簡単な説明】
【０００７】
【図１】図１はコンクリート壁用型枠モジュールの実施例１の構造を示す側断面図である。
【図２】図２はコンクリート壁用型枠モジュールの実施例２の構造を示す側断面図である。
【図３】同三角ブレース金物の拡大側面図である。
【発明を実施するための形態】
【実施例１】
【０００８】
図１に示す実施例１のコンクリート壁用型枠モジュール１は、左右一対の側壁パネル２、３を有しており、該側壁パネル２、３は直方体のハーフＰＣ板コンクリートからなっている。
従って、側壁パネル２、３間にコンクリートの打設(図示せず)が終わると一対の側板からなる型枠（側壁パネル２，３）をそのまま打設したコンクリートと共に一体化して用いる。
図示例では、側壁パネルが７０ｍｍの厚みのものを用いているが、数値は限定されない。
【０００９】
前記一対の側壁パネル２，３の間には、コンクリートを充填するための所定の長さ、例えば９０ｍｍの空間を設定するために両端にストッパとなる鍔５、５を備えた長ナット４を水平に配置する。
【００１０】
前記一対の側壁パネル２，３には前記鍔５より小径で長ナット４のネジ孔４ａと整合する貫通孔６、７を水平に穿設しておく。
そして、前記一対の側壁パネル２，３のそれぞれの貫通孔６、７の外側から、座金８ａ、９ａを介して長ボルト８、９をそれぞれ貫通孔６、７に挿通し前記長ナット４のネジ孔４ａに両側から螺合する。
【００１１】
この際に、長ボルト８，９の螺着した先端は、長ナット４内で空間１０が形成される長さに設定されており、長ボルト８，９の緊締時に先端が緩衝しないようになっている。
図示例で、ネジ孔４ａと長ボルト８、９のネジ部の直径は９ｍｍで、貫通孔６、７の直径は１２ｍｍに設定しており、各長ボルト８、９は頭部８ａ、９ａがナット８ｂ、９ｂにより支承されている。
【００１２】
このようにして、対峙する一対の側壁パネル２、３の左右の位置極めが行われる。
上記長ナット４と長ボルト８，９による位置決めは一個所に限らず、高さ方向で異なる個所に設けられてもよい。
【００１３】
このように配置された側壁パネル２、３は、コンクリートの打設時に垂直性を維持するために、拘束部材を用いることが好ましい。
実施例１では、拘束部材の一例として、一対の鉄製キャンバー１１、１２を用いている。
即ち、コンクリート床２０上に、前記側壁パネル２、３間よりも広く帯鉄板２１を設置し、その上で前記側壁パネル２、３の外側に鉄製キャンバー１１、１２を繋いで取り付ける。
【００１４】
ここで、前記帯鉄板２１上には、鉄製キャンバー１１、１２の後端面と衝合して後方への移動を拘束するアングル状のストッパ板２２が支持している。
また、鉄製キャンバー１１、１２は、鋭角となる先端が側壁パネル２、３の外側の面とほぼ接する位置、図示例では寸法誤差吸収スペースの一例として３ｍｍ離間するように配置しているが、この数値は適宜変更してもよく、０であってもよい。
【００１５】
上記構成からなっているので、前記側壁パネル２、３は、上方が前記長ナット４と長ボルト８，９によって固定され、下端は鉄製キャンバー１１、１２によって決まった場所に動かないように位置極めされて、コンクリートが打設される。
硬化後は、長ナット４に螺合している長ボルト８，９のネジを逆回しして引き抜いて再使用することができる。同様に鉄製キャンバー１１，１２も固定位置から外して、再使用する。
【実施例２】
【００１６】
図２および図３に示す実施例２のコンクリート壁用型枠モジュール１は、前記鉄製キャンバー１１、１２に代えて用いた拘束部材の構造が異なる。
この実施例では、一対の側壁パネル２、３の外側に三角ブレース金物３１、３２が設けられる。
【００１７】
即ち、コンクリート床２０上で、一対の側壁パネル２，３の外面に沿ってそれぞれ三角ブレース金物３１、３２の垂直に立ち上がる垂直面３１ａ、３２ａが接している。
該三角ブレース金物３１、３２の垂直面３１ａ、３２ａには、側壁パネル２，３の貫通孔６，７と整合する孔３３、３４が穿設されている。
【００１８】
そして、長ボルト８，９が座金８ｂ、９ｂを介して三角ブレース金物の孔３３、３４から側壁パネル２、３の連通する貫通孔６、７に挿通して長ナット４に螺着されている。
また、三角ブレース金物３１．３２は、その底辺の外端側で、保持ボルトによって側壁パネルとは別体の帯鉄板２１等の穴に螺着して着脱可能に固定している。
その他の構成は前記実施例と同様であるので、その説明を省略する。
なお、図示例では、長ナット４と長ボルト８，９の組み合わせによる側壁パネル２、３の位置決めは上下２段としている。
【００１９】
ここで、説明の便宜上、下段の同一構造には同じ符号に「’」を付記している。
そのため、前記垂直面３１ａ、３２ａには、下段の長ナット４’と長ボルト８’，９’の組み合わせに合わせて、同様に孔３３’、３４’を穿設しており、座金８ｂ’、９ｂ’は上記孔３３’、３４’の外側に配置し長ボルト８’、９’を挿通している。
【００２０】
これにより、三角ブレース金物３１、３２は、側壁パネル２、３の下部を両側からブックエンドのように挟み込んで垂直性を確保している。
上記三角ブレース金物３１、３２は長ボルト８，９からなる圧縮・引張金物で一体化され、側壁パネル２、３の壁吊り上げ荷重やコンクリート打設荷重による側壁パネル２、３の変形を規制している。
この場合も、コンクリートの硬化後には、長ナット４に螺合している長ボルト８，９のネジを逆転し引き抜いて再使用することができる。同様に三角ブレース金物３１、３２も固定位置から取り外して、再使用しうる。
この発明は上記実施例に限定されるものではなく、要するにこの発明の要旨を変更しない範囲で種々設計変更することができる。
【符号の説明】
【００２１】
１      コンクリート壁用型枠モジュール
２、３  側壁パネル
４      長ナット
５      鍔
６、７  貫通孔
８、９  長ボルト
１０      空間
１１，１２  鉄製キャンバー
２０      コンクリート床
２１      帯鉄板
２２      ストッパ板
３１、３２  三角ブレース金物
３１ａ、３２ａ  垂直面
３３，３４  孔
【図１】
2019132110.tif 000003
【図２】
2019132110.tif 000004
【図３】
2019132110.tif 000005